(57)【要約】      （修正有）【課題】壁面部材に棚吊部材を斜め下方からワンタッチで容易かつ強固に嵌着可能にする。【解決手段】壁面部材１および棚吊部材２とを備え、棚吊部材２の上端部を壁面部材１の洞部１ｅの内壁面に沿うように下方から挿入することにより、棚吊部材２側の係止爪２ｃを壁面部材１側の係止溝１ｄに係合させるとともに、棚吊部材２側の係止部材２ａを壁面部材１側の係止突条１ｂ上に密接させて、棚吊部材２を壁面部材１に支持する。【選択図】図５
2006122329.tif 000002
【特許請求の範囲】
【請求項１】
店舗等の壁面に取り付けられる垂直壁面に、該垂直壁面に断面波状の係止突条を連続して形設し、該係止突条の先端に半円状の突起とこの突起内側に係止溝を持つ洞部を形成した壁面部材と、
陳列する商品等を支持する棒状の支持部材の先端に断面Ｓ字状の係止部材を形成し、該係止部材の上端部に係止爪を形設した棚吊部材とから構成され、
前記係止部材の上端部を前記壁面部材の洞部内に下方から挿入して、前記係止爪を前記係止溝に係合させるとともに、係止部材を前記係止突条の上に密接させて、棚吊部材を前記壁面部材に支持させるように構成したことを特徴とする商品陳列装置。
【請求項２】
係止部材が、前記垂直壁面の波状面に密接可能な断面Ｓ字状をなすことを特徴とする請求項１に記載の商品陳列装置。
【請求項３】
係止部材の上端部は、前記洞内で前記突起内側に摺接しながら回動可能な円弧面を持つことを特徴とする請求項１または２に記載の商品陳列装置。
【請求項４】
係止部材の下端部およびこの下端部に接合される前記突起の外側とに、互いに他と係合する凸部と凹部が形成されていることを特徴とする請求項１〜３のいずれかに記載の陳列商品装置。
【請求項５】
前記洞内の係止溝に対する前記係止部材の係止爪の係止は、係止部材の回動操作および棚吊部材の自重によって行われることを特徴とする請求項１〜４のいずれかに記載の商品陳列装置。
【請求項６】
前記垂直壁面が、複数枚の壁面部材を上下方向に隣接するように組み付けたものからなり、隣り合う一方の壁面部材の止めねじの頭を覆う状態で他方の壁面部材が前記店舗等の壁面等にねじ止めされてなることを特徴とする請求項１〜５のいずれかに記載の商品陳列装置。
【発明の詳細な説明】
【技術分野】
【０００１】
本発明は、店舗や展示場ブースなどの壁面に、この壁面を覆う形で商品陳列壁面を形成し、これに商品を吊持または載置させるための支持部材を着脱自在に装着することができるようにしたもので、商品等の陳列場所を容易に形成することができる商品陳列装置に関する。
【背景技術】
【０００２】
従来からの店舗や展示場ブースなどの壁面に、棚部材や吊下げ部材を着脱可能にした壁面部材などを取り付け、これに棚部材や吊下げ部材を装着して展示販売商品の陳列場所を形成していた。すなわち、上記壁面部材を上下方向に複数段に亘って装着して陳列壁面を形成し、これに棚部材や吊下げ部材を取り付けて商品陳列場所を形成できるようにしていた。例えば、垂直壁面部材にフックやブラケットと呼ばれる棚部材や吊下げ部材を必要に応じて配置し、そのフックやブランケットに商品を直接吊持したり、ブラケットに棚板を載置し、この棚板上に商品を陳列していた（例えば、特許文献１参照）
【０００３】
また、前記商品陳列は、壁面部材自体にも装飾的効果が要求される。このため、壁面部材自体を店舗の壁面や展示場のブース内に設立されている支柱に、その壁面部材の表面側から止めねじなどの固定具を用いて固定している。
【特許文献１】特開平０８−３０３９４４号公報
【発明の開示】
【発明が解決しようとする課題】
【０００４】
前記従来の商品陳列の壁面部材にあっては、壁面部材に、棚部材や吊下げ部材を取付けた壁面部材などに棚部材や吊下げ部材を装着するのは、通常、上方から装着している。このため、これらの部材を取り付けるのには荷重が自然にかかり好適である。しかし、上方に対する力に対しては開放的となり、このため上方への軽い力で、棚部材や吊下げ部材が外れ易いという問題があった。
また、壁面部材に対して複数の係止部材を水平配置して固定する作業が面倒であり、このため商品陳列作業がスムースかつ迅速に行い難く、ため係止部材の取り付け後はこれらの係止部材へのフックやブラケットの一つ一つの着脱操作が煩わしく、その着脱位置が固定的になってしまう。
さらに、壁面部材の店舗等の壁面や柱への固定が表面側からねじ止めにより行われると、そのねじの頭が壁面部材の表面に露出することになり、壁面部材自体の装飾的効果、インテリア効果が損なわれるという問題があった。
【０００５】
本発明は前記従来の問題を解決するものであり、壁面部材に取り付けられた棚吊部材を下方からワンタッチで装着可能にし、装着後は上方への力を受けても容易に外れることがなく、取り扱いが容易で、商品の陳列または吊持に好適な商品陳列装置を提供することを目的とする。また、壁面部材固定用の止めねじの頭が、外に露出するのを防止できる商品陳列装置を提供することを目的とする。
【課題を解決するための手段】
【０００６】
前記目的達成のために、請求項１の発明にかかる商品陳列装置は、店舗等の壁面に取り付けられる垂直壁面に、該垂直壁面に断面波状の係止突条を連続して形設し、該係止突条の先端に半円状の突起とこの突起内側に係止溝を持つ洞部を形成した壁面部材と、陳列する商品等を支持する棒状の支持部材の先端に断面Ｓ字状の係止部材を形成し、該係止部材の上端部に係止爪を形設した棚吊部材とから構成され、前記係止部材の上端部を前記壁面部材の洞部内に下方から挿入して、前記係止爪を前記係止溝に係合させるとともに、係止部材を前記係止突条の上に密接させて、棚吊部材を前記壁面部材に支持させるように構成したことを特徴とする。
【０００７】
また、請求項２の発明の前記係止部材は、前記垂直壁面の波状面に密接可能な断面Ｓ字状に形成される。
【０００８】
また、請求項３の発明の係止部材の上端部は、係止部材の上端部が、前記洞部内で前記突起内側に摺接しながら回動可能な円弧面を持つように構成される。
【０００９】
また、請求項４の発明の係止部材の下端部およびこの下端部に接合される前記突起の外側とに、互いに他と係合する凸部と凹部が形成される。
【００１０】
また、請求項５の発明の係止溝と係止爪の係止は、係止部材の回動操作および棚吊部材の自重によって行われるように構成される。
【００１１】
また、請求項６の発明の垂直壁面は、複数枚の壁面部材を上下方向に隣接するように組み付けたものからなり、隣り合う一方の壁面部材の止めねじの頭を覆う状態で、他方の壁面部材が前記店舗等の壁面等にねじ止めされるように構成される。
【発明の効果】
【００１２】
本発明は、壁面部材及び棚吊部材とを備え、係止部材の上端部を壁面部材の洞部内に下方から挿入して、棚吊部材側の係止爪を壁面部材側の係止溝に係合させるとともに、係止部材を係止突条の上に密接させて、棚吊部材を壁面部材に支持させるようにしたことにより、壁面部材に棚吊部材を斜め下方からワンタッチで容易にかつ強固に装着可能にし、この装着後は棚吊部材を介して棚板などを壁面部材に対して安定的に保持し、商品を安全にかつ見栄え良く陳列または吊持可能にする。
【発明を実施するための最良の形態】
【００１３】
以下に、本発明の実施の一形態を図について説明する。
図１は、本発明にかかる実施の一形態による商品陳列装置の概要を示す斜視図、図２は本発明にかかる商品陳列装置における壁面部材の拡大断面図、図３は本発明における棚吊部材の一例を示す斜視図、図４は本発明の商品陳列装置の組立構造を示す要部の拡大断面図、図５は本発明の商品陳列装置の組立構造を示す要部の拡大断面図、図６は本発明における壁面部材のトップ処理構造を示す断面図、図７は本発明における壁面部材のボトム処理構造を示す断面図、図８は本発明における壁面部材と棚吊部材との嵌合構造例を示す断面図、図９は本発明における壁面部材と棚吊部材との他の嵌合構造例を示す断面図である。
【００１４】
図１は、店舗などの壁面に、本発明にかかる商品陳列装置を取り付けた構成を説明するものである。
本発明にかかる商品陳列装置は、図に示すように、壁面部材１と棚吊部材２とで構成される。
壁面部材１は、店舗等の壁面に取り付ける長尺の垂直壁面１ａに、この垂直壁面１ａから脚部１ｆを介して断面波状に突出する係止突条１ｂを連続して形成したものからなる。また、この係止突条１ｂの先端下方に半円状の突起１ｃと、この突起１ｃの内側に係止溝１ｄを持つ洞部１ｅが形成されている。
【００１５】
また、棚吊部材２は、図３に示すように、陳列する商品等を支持する棒状の支持部材３と、この支持部材３の先端部に係止部材２ａを取り付けたものからなる。この係止部材２ａは板状体を略Ｓ字に折り曲げたような形状をなし、下部突出部２ｂに支持部材３の一端が固定されている。この棚吊部材２は全体または一部が金属や合成樹脂からなる。支持部材３の先端部には上方に向って屈曲する屈曲部３ａが形成されている。この支持部材３を含む棚吊部材２のサイズや強度は、これに支持される陳列対象物のサイズや重量によって任意のものが用いられる。
【００１６】
壁面部材１は、前記のように、長尺の垂直壁面１ａに脚部１ｆを介して断面波状に突出する係止突起１ｂを有する。この係止突起１ｂは、複数個が上下方向に連続するように一体形成されている。そして、この係止突起１ｂの下端部には半円状の突起１ｃが形成され、この突起１ｃの内側には、係止溝１ｄを形設した洞部１ｅが形成されている。なお、隣接する係止突起１ｂ間には、棚吊部材２の係止部材２ａの上部を洞部１ｅ内に挿入するための開口部１ｇが形成されている。
【００１７】
また、壁面部材１の垂直壁面１ａの上端部には、所定内径および深さの皿型ねじ孔４が設けられている。この皿型ねじ孔４を通して、垂直壁面１ａを店舗の柱や壁面Ｐ等に固定する止めねじ５が挿入可能となっている。この皿型ねじ孔４内には、止めねじ５の頭が収納される。また、垂直壁面１ａ背面の上端部には、係止切欠部１ｈが水平方向に設けられている。
【００１８】
一方、垂直壁面１ａの上部に隣接される、他の壁面部材１における垂直壁面１ａの背面下端部には、係止突出部１ｉが水平方向に設けられている。そして、この下端部の係止突出部１ｉが、前記係止切欠部１ｈに重なるように嵌合されている。これにより、止めねじ５によって店舗等の壁面Ｐに隣接するように固定される各壁面部材１は、互いに隣接する上方の壁面部材１の下端部を上から壁面Ｐに押さえ付けるように保持する。また、各壁面部材１の波状の突起１ｃは、垂直壁面１ａ端よりさらに下方へ長く形成されている。このため、前記のように各垂直壁面１ａが上下に隣接する部分では、止めねじ５の頭はその係止突条１ｂにより隠れるため、壁面部材１の表面から露見することはない。
【００１９】
なお、突起１ｃを構成する複数の係止突条１ｂおよび洞部１ｅは、それぞれ同一形状、サイズの波状をなし、洞部１ｅにこれに続く開口部１ｇを有する。この洞部１ｅおよび開口部１ｇは、Ｓ字状の棚吊部材２の上部を斜め下方から挿入可能なサイズ、円弧形状とされている。
【００２０】
また、垂直壁面１ａの上端部には、突条１ｊが水平方向に設けられ、この突条１ｊとこれに対向する波状の突起１ｃの切断端部１ｋとの間に間隙１ｌが設けられている。一方、垂直壁面１ａに脚部１ｆを介して一体に設けられた最下部の係止突起１ｂには、保持突条１ｍが一体に設けられている。そして、上下の壁面部材１が隣接するように組み付けられる際には、前記保持突条１ｍが間隙１ｌ内に斜め方向に挿入されて、隣接する壁面部材１の係止突条１ｂどうしが互いに連結される。
【００２１】
また、壁面部材１は、これらのトップ部分およびボトム部分を処理する、図６および図７に示すようなトップ壁面部材１１およびボトム壁面部材１２とともに用いられて、店舗の壁面に設置される。トップ壁面部材１１は、図６に示すように、前記と略同一形状の３つの係止突条１１ａ、係止突起１１ｂ、係止溝１１ｃを形成する洞部１１ｄを有する。
【００２２】
なお、最上部１１ａの係止突条１１ａは、デザイン上の観点等から上面が平らな平坦部１１ｅに形成され、係止溝１１ｃは設けられていない。最下部の係止突条１１ａには保持突条１１ｆが一体に設けられ、最上部の係止突起１１ａには、爪１１ｇを持つ脚部１１ｈが一体に突設されている。従って、保持突条１１ｆを前記垂直壁面１ａにおける突条１ｊと切断端部１ｋとの間隙１ｌに挿入し、脚部１１ｈの爪１１ｇを垂直壁面１ａ上端の係止切欠部１ｈに係止させることで、このトップ壁面部材１１を壁面部材１の上端にワンタッチで連結可能となる。
【００２３】
ボトム壁面部材１２は、図７に示すように、店舗の壁面Ｐ下部に敷設された幅木１３上に設置される。このボトム壁面部材１２は金属や硬質の合成樹脂により作られ、垂直板１２ａに対し、突条１２ｂと、前記切断端部１ｋと略同形状の突条１２ｃと、各突条１２ｂ、１２ｃ間の間隙１２ｄと、係止切欠部１２ｅをそれぞれ設けたものからなる。なお、突起１２ｂ、突起１２ｃおよび係止切欠部１２ｅは、図２に示した垂直壁面１ａに設けられたものと形状、寸法が同一である。
【００２４】
また、この垂直板１２ａの上部には止めねじ５を挿入するための皿孔１４が設けられ、この皿孔１４を通して止めねじ５を壁面Ｐにねじ込むことで、ボトム壁面部材１２が壁面Ｐにしっかり固定される。従って、壁面部材１の最下位にある保持突起１ｍを間隙１２ｄに挿入し、垂直壁面１ａ下端の係止突出部１ｉを係止切欠部１２ｅに係止させることで、壁面部材１の下部がボトム壁面部材１２に保持され、このとき、止めねじ５の頭が係止突条１ｂの裏に隠れ、表面に露出することもない。
【００２５】
次に、この商品陳列装置の組立方法を、図１および図４〜図７を参照して説明する。まず、図１に示すように、店舗や展示場ブースなどの壁面Ｐにと当接するようにして、壁面部材１を幅木１３の上に乗せ、壁面Ｐの最下段に止めねじ５により取り付ける。さらに、この止めねじ５部分を、上段の壁面部材１の下部で覆うように、壁面Ｐに沿って壁面部材１を順次上方へ繋ぎ合わせていく。この繋ぎ合わせは、前述のように、係止突出部１ｊを係止切欠部１ｈに重ねるようにして行われる。こうすることで、各垂直壁面１ａが垂直方向に真直ぐに繋がることとなる。
【００２６】
また、最上部の壁面部材１に対しては、これの上部を止めねじ５で壁面Ｐに固定した後、図６に示すように、トップ壁面部材１１を、その止めねじ５の頭を覆うように、前記壁面部材１の上部に重ねる。そして、保持突起１１ｆを間隙１ｌ内に挿入し、爪１１ｇを係止切欠１ｈに嵌合することで、壁面部材１のトップ処理が完了する。
【００２７】
次に、棚吊部材２を用意して、Ｓ字状の係止部材２ａの先端部（上端部）を、係止突条１ｂが持つ洞部１ｅ内へ、図４に示すように、開口部１ｇ側から斜め上方（矢印方向）Ａへ差し込む。こうして、差し込みながら、この係止部材２ａを
半円状の突起１ｃ内側にガイドさせて、これの先端部をさらに洞部１ｅ内に送り込む。これにより、その先端部の係止爪２ｃは、図５に示すように、洞部１ｇ内の係止溝１ｄに嵌合し、このとき手を離すと、自重で係止部材２ａの全体がその下部に臨む係止突条１ｂの上面（傾斜面）に密接する。この状態においては、棒状の支持部材３が水平になり、つまり垂直壁面１ａに対し垂直となり、商品の吊り下げや棚板の載置が可能になる。
【００２８】
このようにして、棚吊部材２の支持部材３は、壁面部材１の垂直壁面１ａに対し垂直に支持され、この上に棚板を載せ、商品を載置すると、前記係止突条１ｂに対して棚吊部材２は安定的に支承される。このため棚板上の商品の落下は生じない。また、棚吊部材２の壁面部材１からの取り外しは、前記組み付けの逆の手順で容易、迅速に行うことができる。なお、前記においては、支持部材３として丸棒状のものを示したが、長板状としても良い。この場合には、この支持部材３自体を商品の陳列棚として使用することもできる。
【００２９】
また、図８および図９に示すように、係止突条１ｂ端の突起１ｃに丸形凹部１５や角形凹部１６を儲け、これに棚吊部材２の下部突出部２ｂに形成した丸形凸部１７や角形凸部１８を嵌合させるようにしても良い。これにより棚吊部材２の係止突条１ｂ上からのずり落ちをより確実に防止できる。
【００３０】
このように、本発明では、壁面部材１及び棚吊部材２を備え、棚吊部材２の上端部を壁面部材１の洞部１ｅの内壁面に沿うように下方から挿入することにより、棚吊部材２側の係止爪２ｃを壁面部材１側の係止溝１ｄに係合させ、棚吊部材２側の係止部材２ａを壁面部材１側の係止突条１ｂ上に密接させて、棚吊部材２を壁面部材１に支持可能にしたことにより、壁面部材１に棚吊部材２を下方からワンタッチで容易に装着させることができ、装着状態では、仮に下方から力が作用しても、棚吊部材２が壁面部材１から脱落するのを確実に回避することができる。
【図面の簡単な説明】
【００３１】
【図１】本発明の実施の一形態による商品陳列装置の概要を示す斜視図である。
【図２】本発明の商品陳列装置の要部を拡大して示す断面図である。
【図３】本発明における棚吊部材の一例を示す斜視図である。
【図４】本発明における壁面部材に対する棚吊部材の組立構造を示す要部の断面図である。
【図５】本発明における壁面部材に対する棚吊部材の組立構造を示す要部の断面図である。
【図６】本発明における壁面部材トップ部の処理構造を一部拡大して示す断面図である。
【図７】本発明における壁面部材ボトム部の処理構造を一部拡大して示す断面図である。
【図８】本発明における棚吊部材と係止突条との嵌合構造を示す要部の断面図である。
【図９】本発明における棚吊部材と係止突条との他の嵌合構造を示す要部の断面図である。
【符号の説明】
【００３２】
１  壁面部材
１ａ  垂直壁面
１ｂ  係止突条
１ｃ  突起
１ｄ  係止溝
１ｅ  洞部
２  棚吊部材
２ａ  係止部材
２ｃ  係止爪
３  支持部材
１５  丸形凹部
１６  角形凹部
１７  丸形凸部
１８  角形凸部
【図１】
2006122329.tif 000003
【図２】
2006122329.tif 000004
【図３】
2006122329.tif 000005
【図４】
2006122329.tif 000006
【図５】
2006122329.tif 000007
【図６】
2006122329.tif 000008
【図７】
2006122329.tif 000009
【図８】
2006122329.tif 000010
【図９】
2006122329.tif 000011